(57)【特許請求の範囲】
【請求項１】
コンクリートセグメント同士を連結するための継手とボルトボックス形成用のボルトボックス抜き型とをセグメント型枠内の所定位置に固定するセグメント型枠内へのボルトボックス抜き型の固定構造であって、
前記セグメント型枠の側板から、継手を介して締結ボルトを前記ボルトボックス抜き型に螺合して該ボルトボックス抜き型を前記側板に連結して固定してなり、前記ボルトボックス抜き型の底部とセグメント型枠の底板とを密着させる密着手段を配設したことを特徴とするセグメント型枠へのボルトボックス抜き型の固定構造。
【請求項２】
前記密着手段として、前記セグメント型枠の底板とボルトボックス抜き型の底部との間に台座が配設され、該台座は前記セグメント型枠の側板から離間するにつれて前記セグメント型枠の底板に近づくテーパ面が形成されていることを特徴とする請求項１記載のセグメント型枠内へのボルトボックス抜き型の固定構造。
【請求項３】
前記密着手段として、前記セグメント型枠の側板に前記締結ボルトの頭部に当接するテーパ状の座金が配設され、該座金に当接させられた前記締結ボルトは先端が前記セグメント型枠の底板側に向けて荷重が働くように傾斜させられている請求項１記載のセグメント型枠内へのボルトボックス抜き型の固定構造。
【請求項４】
前記密着手段として、前記ボルトボックス抜き型に設けた雌ねじ部が前記セグメント型枠の底板とは反対側に傾斜して配設されている請求項１記載のセグメント型枠内へのボルトボックス抜き型の固定構造。
【請求項５】
前記密着手段として、前記ボルトボックス抜き型の底部と前記セグメント型枠の底板との間に弾性部材からなるシール部材を形成し、前記締結ボルト挿入時における前記ボルトボックス抜き型の底部と底板とが前記シール部材を介して密着させられている請求項１記載のセグメント型枠内へのボルトボックス抜き型の固定構造。
【請求項６】
前記密着手段として、前記ボルトボックス抜き型が前記締結ボルトを締結させる雌ねじ部を有する第一半部と前記底部が前記セグメント型枠の底板に密着させられている第二半部とに分割されて構成されている請求項１記載のセグメント型枠内へのボルトボックス抜き型の固定構造。
【請求項７】
前記密着手段として、締結ボルトの雄ねじ部の基部に形成された段差部と、前記ボルトボックス抜き型の雌ねじ部の周囲に形成した平坦面とで構成され、前記段差部と平坦面が面接触するように構成した請求項１記載のセグメント型枠内へのボルトボックス抜き型の固定構造。
【請求項８】
前記密着手段として、前記ボルトボックス抜き型の底部と前記セグメント型枠の底板とには互いに吸着する第一磁性体と第二磁性体がそれぞれ設けられ、該第一磁性体と第二磁性体の少なくとも一方はＯＮ，ＯＦＦ切り換え可能な電磁石である請求項１に記載のセグメント型枠内へのボルトボックス抜き型の固定構造。
【請求項９】
前記密着手段として、前記ボルトボックス抜き型の底部に前記セグメント型枠の底板を貫通して外部に突出する係合部材が設けられ、該係合部材に着脱可能な係止部材が取り付けられている請求項１に記載のセグメント型枠内へのボルトボックス抜き型の固定構造。
【請求項１０】
前記継手とボルトボックス抜き型の互いに当接する面の少なくとも一方には圧縮変形可能な弾性部材が設けられている請求項１から９のいずれかに記載のセグメント型枠内へのボルトボックス抜き型の固定構造。
【発明の詳細な説明】
【技術分野】
【０００１】
本発明は、セグメント型枠にコンクリートを充填してセグメントを製造する際に、隣接するセグメント同士を連結するための継手金物を備えていて、この継手金物を介してボルトボックス抜き型をセグメント型枠内の所定位置に固定するための、セグメント型枠内へのボルトボックス抜き型の固定構造に関する。
【背景技術】
【０００２】
隣接するコンクリートセグメント同士を、ボルトボックスを用いてボルトとナット等で連結する場合、例えば特許文献１に記載されたようなセグメントが利用される。
特許文献１に記載されたセグメントは、図１２に示すように、シールドトンネルの覆工用として利用されるコンクリートセグメント１は、セグメントリングを構築するための一方の継手面にボルトボックス２が複数形成され、ボルトボックス２と継手面との間に継手金物３が配設されている。他方のセグメント１の継手面には雌ねじ部を設けた頭部５を有するインサート側の継手金物４が配設されている。これらの継手金物３，４はボルトボックス２を通して図示しないボルトで強固に固定される。
このようなセグメント１の製造方法について説明すると、図１３に示すようにセグメント型枠７は側板８と底板９を備えている。セグメント型枠７の底板９にはボルトボックス２を形成するためのボルトボックス抜き型１０が台座１１を介して固定されている。セグメント型枠７の側板８には図１４に示す継手ボルト１３を介してボルトボックス側の継手金物３が固定されている。図１４に示すようにボルトボックス２側の継手金物３は内部に貫通孔１４ｂを形成した略筒状の挿通部１４とその両側に形成した一対のアンカー部材１５、１５とを形成しており、アンカー部材１５、１５間にボルトボックス抜き型１０が配設されている。
【０００３】
そして、図１５に示すように、ボルトボックス抜き型１０をセグメント金型７の側板８に連結する継手ボルト１３は、軸部の先端に雄ねじ部１３ａが形成され、途中部分にフランジ部１３ｂが、基部に頭部１３ｃが設けられている。継手ボルト１３の頭部１３ｃとフランジ部１３ｂの間の軸部は挿入方向が曲がらないように長尺の筒状部１７を挿通している。
継手ボルト１３で、例えば側板８に嵌合したブッシュ１８を介してセグメント金型７のボルト挿通孔８ａを貫通させ、挿通部１４の貫通孔１４ｂを通してボルトボックス抜き型１０の雌ねじ部１２にねじ込んでボルトボックス抜き型１０をセグメント金型７の側板８に引き込んで連結する。このようにして、継手金具３及びボルトボックス抜き型１０をセグメント型枠７に固定した状態でコンクリートを充填することで、コンクリートセグメント１を製造することになる。
【特許文献１】特開２００５−１７１６２７号公報
【発明の開示】
【発明が解決しようとする課題】
【０００４】
ところで、このようなセグメント金型７へのボルトボックス抜き型１０の固定構造では、継手金物３が鋳物で製造されているために製造精度が低くボルトボックス抜き型１０の先端面１０ａが当接する端面１４ａの成形精度が低かった。そのため、継手ボルト１３によってセグメント型枠７及び継手金物３を介してボルトボックス抜き型１０を締め込むと、ボルトボックス抜き型１０が継手金物３の端面１４ａに押し付けられて傾斜し、セグメント型枠７の底板９に固定された台座１１との間に隙間ｃが発生するおそれがあった。
この場合、隙間ｃからコンクリートが侵入し、コンクリートが固化した後、セグメント型枠７とボルトボックス抜き型１０をコンクリートセグメント１から型抜きすると、セグメント１の内周面に開口するボルトボックス２の端縁が欠けてしまい見栄えが悪く、またセグメント１にクラックが入るおそれがあった。
そのため、シールドトンネルを構築した後で、ボルトボックス２をコンクリートで埋め込むと共にボルトボックス１０の端縁部の欠けやクラックを補修する必要が生じる欠点がある。
【０００５】
本発明は、このような実情に鑑みて、セグメントの製造時にボルトボックス抜き型の底部とセグメント型枠との間からコンクリートが侵入することがなく、型抜きの際に端縁に欠けやクラック等が発生するのを抑制できるようにしたセグメント型枠内へのボルトボックス抜き型の固定構造を提供することを目的とする。
【課題を解決するための手段】
【０００６】
本発明によるセグメント型枠内へのボルトボックス抜き型の固定構造は、コンクリートセグメント同士を連結するための継手とボルトボックス形成用のボルトボックス抜き型とをセグメント型枠内の所定位置に固定するセグメント型枠内へのボルトボックス抜き型の固定構造であって、セグメント型枠の側板から、継手を介して締結ボルトをボルトボックス抜き型に螺合して該ボルトボックス抜き型を側板に連結して固定してなり、ボルトボックス抜き型の底部とセグメント型枠の底板とを密着させる密着手段を配設したことを特徴とする。
本発明によれば、継手等の部品の製造誤差や組み立て誤差等により、締結ボルトでボルトボックス抜き型をセグメント型枠に固定した状態でボルトボックス抜き型が傾斜する可能性があったとしても、密着手段によってボルトボックス抜き型の底部とセグメント型枠の底板とを密着させることができるから、コンクリートをセグメント型枠内に充填した際にボルトボックス抜き型の底部とセグメント型枠の底板との間からコンクリートがボルトボックス抜き型内に侵入することを防止でき、セグメント型枠とボルトボックス抜き型をセグメントから型抜きした際に、ボルトボックスの底部の端縁にコンクリートの欠けが発生したりクラックが入ることがない。そのため、セグメントの損傷を防止できて外観上の見栄えもよい。
【０００７】
また、密着手段として、セグメント型枠の底板とボルトボックス抜き型の底部との間に台座が配設され、該台座はセグメント型枠の側板から離間するにつれてセグメント型枠の底板に近づくテーパ面が形成されていることが好ましい。
締結ボルトでボルトボックス抜き型をセグメント型枠の側板に引き込んだ際、ボルトボックス抜き型は台座のテーパ面に沿って上向きに姿勢が修正されるために締結ボルトの引き込み力によって台座方向の押圧力が働いてボルトボックス抜き型の底部は台座に押し付けられ、隙間が発生しない。
【０００８】
また、密着手段として、セグメント型枠の側板に締結ボルトの頭部に当接するテーパ状の座金が配設され、該座金に当接させられた締結ボルトは先端がセグメント型枠の底板側に向けて荷重が働くように傾斜させられていることが好ましい。
締結ボルトは、座金によってボルトボックス抜き型をセグメント型枠の底板方向に押圧する荷重を働かせつつ引き込むため、ボルトボックス抜き型の底部はセグメント型枠の底板に押し付けられる。
【０００９】
また、密着手段として、ボルトボックス抜き型に設けた雌ねじ部がセグメント型枠の底板とは反対側に傾斜して配設されていることが好ましい。
締結ボルトが嵌合するセグメント型枠の側板に対して、ボルトボックス抜き型の雌ねじ部がセグメント型枠の底板とは反対側に傾斜しているため、締結ボルトを側板に挿入してボルトボックス抜き型の雌ねじ部に螺合させると、締結ボルトは底板と反対側へ湾曲する方向に螺入されるために、ボルトボックス抜き型をセグメント型枠の底板方向に押圧する荷重を働かせつつ引き込むことになり、ボルトボックス抜き型の底部はセグメント型枠の底板に押し付けられる。
【００１０】
また、密着手段として、ボルトボックス抜き型の底部とセグメント型枠の底板との間に弾性部材からなるシール部材を形成し、締結ボルト挿入時におけるボルトボックス抜き型の底部と底板とがシール部材を介して密着させられていてもよい。
締結ボルトの締結時にボルトボックス抜き型の底部とセグメント型枠の底板との間に若干の隙間が生じてもシール部材が介在することで隙間を形成することなく液密状態を維持できる。
【００１１】
また、密着手段として、ボルトボックス抜き型が締結ボルトを締結させる雌ねじ部を有する第一半部と底部がセグメント型枠の底板に密着させられている第二半部とに分割されて構成されていてもよい。
この場合、締結ボルトの締結時に、ボルトボックス抜き型がセグメント型枠の側板に引き込まれて仮に傾斜したとしても、ボルトボックス抜き型の第一半部のみが傾斜し、第二半部は分離して底板への密着状態を維持できる。この場合、少なくともボルトボックス抜き型の底部と底板との間には隙間が生じないから、第一半部と第二半部の間隙から充填時のコンクリートが侵入したとしても、ボルトボックスの端縁には欠けやクラックは入らない。ボルトボックスの内壁の途中部分にコンクリートが侵入固化したとしても、継手の締結後に埋め込むから、継手の締結時や埋め込み時等に不具合は生じない。
【００１２】
また、密着手段として、締結ボルトの雄ねじ部の基部に形成された段差部と、ボルトボックス抜き型の雌ねじ部の周囲に形成した平坦面とで構成され、段差部と平坦面が面接触するように構成してもよい。
締結ボルトによるボルトボックス抜き型の引き込み固定時に、締結ボルトの段差部とボルトボックス抜き型の平坦面とが面接触してボルトボックス抜き型の傾斜を防ぎ、多少の誤差は弾性部材を押圧することで吸収できる。
【００１３】
また、密着手段として、ボルトボックス抜き型の底部とセグメント型枠の底板とには互いに吸引する第一磁性体と第二磁性体がそれぞれ設けられ、該第一磁性体と第二磁性体の少なくとも一方はＯＮ，ＯＦＦ切り換え可能な電磁石であってもよい。
締結ボルトによるボルトボックス抜き型の引き込み固定に先立って、ボルトボックス抜き型を位置決めして電磁石を励磁させて第一磁性体と第二磁性体を吸着させることで、ボルトボックス抜き型の底部をセグメント型枠の底板に密着でき、この状態で締結ボルトを締め込めばボルトボックス抜き型の傾斜が抑制され、底板との間に隙間が発生することはない。
【００１４】
また、密着手段として、ボルトボックス抜き型の底部にセグメント型枠の底板を貫通して外部に突出する係合部材が設けられ、該係合部材に着脱可能な係止部材が取り付けられている。
セグメント型枠の底板に位置決め保持されたボルトボックス抜き型から係合部材を底板を通して突出させ、係止部材によって係合部材を係止する。これによって締結ボルトでボルトボックス抜き型を引き込み固定しても、ボルトボックス抜き型が傾斜したりせず、また、コンクリートを充填固化した後で、係止部材を離脱させることで、セグメント型枠とボルトボックス抜き型をセグメントから型抜きすることができる。
【００１５】
また、継手とボルトボックス抜き型の互いに当接する面の少なくとも一方には圧縮変形可能な弾性部材が設けられていてもよく、これによって継手の製造誤差やセグメント型枠への組み込み誤差等があったとしても継手にボルトボックス抜き型の平坦面が押し付けられる際に弾性部材を圧縮させて誤差を吸収でき、ボルトボックス抜き型の傾斜を防止できる。
【発明の効果】
【００１６】
本発明によるセグメント型枠内へのボルトボックス抜き型の固定構造によれば、セグメントの製造時に締結ボルトを締め込んでボルトボックス抜き型をセグメント型枠に引き込み固定しても、ボルトボックス抜き型の底部とセグメント型枠の底板との間からコンクリートが侵入することがなく、型抜きの際にボルトボックスの端縁が欠損したりクラック等が発生したりするのを防止できる。
【発明を実施するための最良の形態】
【００１７】
以下、本発明の実施形態によるセグメント型枠内へのボルトボックス抜き型の固定構造について説明するが、上述の従来技術と同一または同様の部材、部品には同一の符号を用いて説明する。
図１及び図２は本発明の第一実施形態によるセグメント型枠内へのボルトボックス抜き型の固定構造を示す説明図と要部縦断面図である。図１において、コンクリートセグメント１製造用のセグメント型枠７として、円弧状の板をなすセグメント１の例えばセグメントリングを構築するための継手面を形成する側板８とセグメント１の内周面を形成する底板９とが形成されている。
【００１８】
セグメント型枠７の底面９には抜き型座として台座２０が固定されており、その上にボルトボックス抜き型１０が装着されている。ボルトボックス抜き型１０の一側面１０ａは鉛直面であり、継手金物３の挿通部１４の端面１４ａに当接している。この挿通部１４の端面１４ａとボルトボックス抜き型１０の側面１０ａとの間には弾性部材として例えばリング板状のゴム材２１が介在していずれか一方、例えばボルトボックス抜き型１０の側面１０ａに固着されている。
ボルトボックス抜き型１０の側面１０ａにはリング板状のゴム材２１の中心に雌ねじ部１２が形成されている。なお、ゴム材２１は必ずしもリング状である必要はなく、例えば雌ねじ部１２から等距離の位置に略対称に分離して配設されていてもよい（図１参照）。
図２に示す縦断面図では、挿通部１４がセグメント金型７の側板８とボルトボックス抜き型１０との間に配設されている。そして、側板８の内側にはボルトボックス２側の継手金物３の挿通部１４を介してボルトボックス抜き型１０が配設され、その雌ねじ部１２に側板８のボルト挿通孔８ａを通してリーマボルト１６の雄ねじ部１６ａが螺合されている。
リーマボルト１６は締結ボルトを構成するものであり、頭部１６ｂと軸部の先端に設けた雄ねじ部１６ａと雄ねじ部１６ａの基部に形成された段差部１６ｃとを備えている。
【００１９】
また、継手金物３は鋳物製であるから高精度な寸法で製造し難いが、リーマボルト１６を締め込むことでボルトボックス抜き型１０を引きつけて側面１０ａを挿通部１４の端面１４ａに圧接して両部品の製造誤差をゴム材２１によって吸収できる。そのため、ボルトボックス抜き型１０の側面１０ａが図１で鉛直面から継手金物３の挿通部１４と反対側に傾斜するのを抑制できる。
セグメント型枠７の底板９に取り付けた台座２０は、継手金物３の挿通部１４側から離れる方向に板厚が小さくなるように水平面に対する傾斜角θで下り傾斜する平坦なテーパ面２０ａを形成している。
【００２０】
従って、ボルトボックス抜き型１０が台座２０に着座した状態で、リーマボルト１６によって側板８のボルト挿通孔８ａから継手金物３の挿通部１４を介して雌ねじ部１２に螺合させることで、締め込まれて引き込まれるボルトボックス抜き型１０は台座２０のテーパ面２０ａに沿って若干摺動する。そのため、ボルトボックス抜き型１０の底部は摺動方向前端側がテーパ面２０ａを昇り、後端側はテーパ面２０ａに押し付けられる。また、ゴム材２１は継手金物３の挿通部１４の端面１４ａとボルトボックス１０の側面１０ａとの間に介在して挿通部１４の製造誤差を吸収する。
なお、ボルトボックス抜き型１０の底部には全周に亘って弾性部材、例えばゴム材からなるＯリング２３が取り付けられている（図１参照）。
そのため、ボルトボックス抜き型１０をリーマボルト１６で継手金物３側に引き込み一対のアンカー部材１５，１５の間に固定する際、ボルトボックス抜き型１０の底部の端縁が台座２０から浮いたりして台座２０との間に隙間が形成されることはない。
【００２１】
上述のように本実施形態によるセグメント型枠７内へのボルトボックス抜き型１０の固定構造によれば、リーマボルト１６でボルトボックス抜き型１０を締め込む際にボルトボックス抜き型１０の底部の後端側がテーパ面２０ａを有する台座２０から浮いて隙間ができることはなく、そのため、セグメント型枠７内にコンクリートを充填する際にボルトボックス抜き型１０の底部の後端側からコンクリートが侵入して固化したりしない。そのため、固化後にボルトボックス抜き型１０をセグメント型枠７と共に型抜きする際に、ボルトボックス２の端縁が欠けたりクラックが入ることを防止できる。
【００２２】
次に本発明の他の実施異形態について説明するが、上述の実施形態で用いた部材や部品と同一または同様な部材、部品等には同一符号を用いて説明を省略する。
図３は本発明の第二実施形態を示すものである。
図３に示す第二実施形態によるセグメント型枠内へのボルトボックス抜き型の固定構造において、台座２５は水平面状に形成されている。セグメント金型７の側板８の外面に設けたリーマボルト１６挿入用の挿通孔８ａと同軸に孔２６ｂを設けたテーパ付きのテーパ座金２６が設けられている。このテーパ座金２６は側板８と反対側の面がテーパ面２６ａとされている。テーパ面２６ａは側板８の上側から下側に向けて次第にテーパ座金２６の厚みが増大するように垂直面に対して傾斜して形成されている。
そのため、このセグメント金型７にリーマボルト１６を装着すると、リーマボルト１６は継手金物３の挿通部１４を通してボルトボックス抜き型１０の雌ねじ部１２に螺合される。そして、リーマボルト１６の螺合時に頭部１６ｂがテーパ座金２６に押し付けられるために、リーマボルト１６の軸部を通して雌ねじ部１２に螺合する雄ねじ部１６ａには下向きの荷重がかけられ、雄ねじ部１６ａで螺合されるボルトボックス抜き型１０は台座２５に押し付けられる。
なお、図３では、リーマボルト１６は省略されている。
【００２３】
本実施形態においても、リーマボルト１６でボルトボックス抜き型１０を締め込む際にボルトボックス抜き型１０が台座２５に押し付けられる方向に荷重が働くため、ボルトボックス抜き型１０の底部と台座２５との間に隙間ができることはない。そのため、セグメント型枠７内にコンクリートを充填する際にボルトボックス抜き型１０の底部からコンクリートが侵入することはなく、ボルトボックス抜き型１０を型抜きする際にボルトボックス２の端縁が欠けたりクラックが入ることを防止できる。
【００２４】
次に本発明の第三実施形態を図４により説明する。
図４において、第三実施形態によるセグメント型枠内へのボルトボックス抜き型の固定構造では、ボルトボックス抜き型１０は継手金物３の挿通部１４とアンカー部材１５が水平方向に配設されているのに対して、雌ねじ部１２が若干上方に向けて傾斜して形成されている。
そのため、リーマボルト１６をセグメント金型７の側板８のボルト挿通孔８ａに装着し、継手金物３の挿通部１４を通して雌ねじ部１２に雄ねじ部１６ａを螺合して締め込むと、ボルトボックス抜き型１０は台座２５に押圧される方向に荷重が働くことになる。そのため、ボルトボックス抜き型１０の底部は台座２５に押し付けられ、充填時にコンクリートが侵入する間隙は形成されない。
【００２５】
次に本発明の第四実施形態を図５により説明する。
図５において、第四実施形態によるセグメント型枠内へのボルトボックス抜き型の固定構造では、図６（ａ）（ｂ）に示すように、ボルトボックス抜き型１０の底部の下端面に額縁状に例えば四角形枠状の溝２７を形成し、この溝内に例えば合成ゴム等の弾性部材からなるシール部材２８を全周に装着する。シール部材２８は上述のＯリング２３よりも足が長く、例えば略筒状に形成されている。
セグメント型枠７の側板８から継手金物３の挿通部１４を通してボルトボックス抜き型１０を結合させる継手ボルト１３は、図１４及び図１５に示すように軸部の先端に設けた雄ねじ部１３ａと軸部の長手方向途中部分に設けたフランジ部１３ｂと頭部１３ｃとを備え、頭部１３ｃとフランジ部１３ｂとの間に筒状部１７が貫挿されている。継手ボルト１３は締結ボルトを構成する。
従って、継手ボルト１３によって、セグメント金型７の側板８の挿通孔８ａと継手金物３の挿通部１４を通してボルトボックス抜き型１０の雌ねじ部１２と雄ねじ部１３ａを螺合・締結させた場合、継手金物３の製造誤差等によりボルトボックス抜き型１０の底部と台座２５との間に若干の隙間が生じてもシール部材２８によって隙間を液密に封止できる（図６（ｂ）参照）。
そのため、充填時にコンクリートがボルトボックス抜き型１０の底部と台座２５との隙間からボルトボックス抜き型１０内に侵入することを防止できる。
【００２６】
次に本発明の第五実施形態を図７により説明する。
図７において、第五実施形態によるセグメント型枠内へのボルトボックス抜き型の固定構造では、ボルトボックス抜き型１０が継手ボルト１３の雄ねじ部１３ａと螺合する上半部３０とセグメント金型７の底板９上の台座２５に着座する下半部３１とに二分割されて構成されている。ボルトボックス抜き型１０の上半部３０と下半部３１とは互いに当接しているが、結合はされていない。
この状態で、継手ボルト１３によって、セグメント金型７の側板８の挿通孔８ａと継手金物３の挿通部１４を通してボルトボックス抜き型１０の雌ねじ部１２に雄ねじ部１３ａを螺合・締結させた場合、継手金物３の挿通部１４の製造誤差等により継手ボルト１３でボルトボックス抜き型１０の上半部３０が引き込まれて傾斜することがある。
この場合、本実施形態では、ボルトボックス抜き型１０の上半部３０と下半部３１が分割されているから、上半部３０のみが傾斜して引き込まれ、下半部３１は傾斜したりずれたりしない。そのため、上半部３０と下半部３１との間に若干の隙間が形成され、この隙間から充填時のコンクリートが侵入することがある。
そして、コンクリートが固化してセグメント型枠７及びボルトボックス抜き型１０を型抜きしてセグメント１を製造した際、ボルトボックス２の内面の側壁の途中部分に隙間から漏れたコンクリートが突出固化することになるが、ボルトボックス２の端縁が欠けたりクラックが入ることはないため、実用上の不具合はない。
【００２７】
次に本発明の第六実施形態を図８により説明する。
図８において、ボルトボックス抜き型１０の継手金物３側の一側面１０ａにおいて雌ねじ部１２の周囲は平坦面とされ、雌ねじ部１２と同心円状にリング板形状のゴム材２１が接着されている。
これに螺合される継手ボルト１３は図９に示すように軸部に沿って先端から雄ねじ部１３ａとフランジ部１３ｂと頭部１３ｃとを備え、フランジ部１３ｂと頭部１３ｃとの間に筒状部１７を装着して軸部の挿入方向がずれないようにしている。そして、継手ボルト１３の雄ねじ部１３ａの基部には軸部に連結される略直角の段差部３３が形成されている。
【００２８】
従って、ボルトボックス抜き型１０をセグメント型枠７に連結する際、継手ボルト１３をセグメント型枠７の側板８の挿通孔８ａから挿入して継手金物３の挿通部１４の貫通孔１４ａを通してボルトボックス抜き型１０の雌ねじ部１２に雄ねじ部１３ａを螺合させる。その際、継手ボルト１３の雄ねじ部１３ａの段差部３３はボルトボックス抜き型１０の鉛直で平坦な側面１０ａに当接して面接触する。また、継手金物３の挿通部１４の端面１４ａはボルトボックス抜き型１０の側面１０ａのリング状のゴム材２１を押圧して弾性変形させる。
継手ボルト１３の挿入に際して、継手ボルト１３は筒状部１７の中空部を貫通していることで、軸部が傾斜することが抑制されて水平方向に押し込まれ、更に雄ねじ部１３ａの基部に設けた段差部３３がボルトボックス抜き型１０の平坦な側面１０ａに面接触することで、継手金物３側に引き込まれるボルトボックス抜き型１０の傾斜を抑止する。そのため、ボルトボックス抜き型１０が傾斜して底部の後端側が台座２５から浮き上がり隙間が形成されることを確実に防止できる
【００２９】
次に本発明の第七実施形態を図１０により説明する。
図１０において、ボルトボックス抜き型１０の底部には鉄材や永久磁石等からなる磁性体３５が第一磁性体として固定されている。そして、セグメント金型７の底板９には、磁性体３５に対向する位置に例えば電磁石３６が第二磁性体として装着されている。
そして、例えば図２に示すようなリーマボルト１６によって、側板８の挿通孔８ａから継手金物３の挿通部１４の貫通孔１４ａを介して雄ねじ部１６ａがボルトボックス抜き型１０の雌ねじ部１２に螺合される。リーマボルト１６の締め込みに先立って電磁石３６を図示しないレバーやスイッチ等でＯＮすることで、ボルトボックス抜き型１０の磁性体３５を吸着する。これにより、ボルトボックス抜き型１０がリーマボルト１６によって継手金物３の挿通部１４の端面１４ａに引きつけられた際、端面１４ａが垂直面でなくてもボルトボックス抜き型１０は台座２５に密着された状態に維持され、この状態でコンクリート充填と固化がなされる。
【００３０】
次に本発明の第八実施形態を図１１により説明する。
図１１において、ボルトボックス抜き型１０の底部には下方に延びる係合部材３７が設けられ、係合部材３７には例えば係合部として孔部３７ａが穿孔されている。台座２５とセグメント型枠７の底板９には係合部材３７を底板９の外部に突出させる係合孔部３８が形成されている。
そして、リーマボルト１６によって継手金物３の挿通部１４を介してボルトボックス抜き型１０を螺合して引き込むに先立って、ボルトボックス抜き型１０を台座２５上に位置決めし、係合部材３７を台座２５及びセグメント型枠７の底板９の係合孔部３８を通して外部に突出させる。次いで、外部に突出する係合部材３７の孔部３７ａに例えばテーパ形状の係止部材３９を挿入することで、ボルトボックス抜き型１０を台座２５上に固定保持する。
この状態で、セグメント型枠７の側板８の挿通孔８ａから継手金物３の挿通部１４の貫通孔１４ａを介してリーマボルト１６を嵌合し、ボルトボックス抜き型１０の雌ねじ部１０ａにリーマボルト１６の雄ねじ部１６ａを螺合することで引き込み固定する。
この場合、セグメント１を製造した後、セグメント型枠７とボルボックス抜き型１０を型抜きする際には、係止部材３９を孔部３７ａから引き抜くことで型抜きを容易に行える。
【００３１】
なお、上述の各実施形態では、コンクリートセグメント１にボルトボックス２を形成するためのセグメント型枠７へのボルトボックス抜き型１０の固定構造について説明したが、本発明はコンクリートセグメント１に限定されることなく、合成セグメントにも適用できる。この場合、ボルトボックス２が開口するセグメントの内周面等がコンクリート面で形成されていれば本発明を適用できる。
また、上述の各実施の形態では、セグメント型枠７の底板９にテーパ状の台座２０または台座２５を設置し、その上にボルトボックス抜き型１０を設置するようにしたが、必ずしも台座２５は設けなくてもよい。或いは、底板９に台座２５を一体に固定させて構成してもよい。そのため、本発明において、セグメント型枠７の底板９については台座２５を備えた場合と備えない場合とのいずれをも含むものとする。
【図面の簡単な説明】
【００３２】
【図１】本発明の第一実施形態によるセグメント型枠へのボルトボックス抜き型の固定構造を示す要部説明図である。
【図２】図１における固定構造の縦断面図である。
【図３】本発明の第二実施形態によるセグメント型枠へのボルトボックス抜き型の固定構造を示す要部説明図である。
【図４】本発明の第三実施形態によるセグメント型枠へのボルトボックス抜き型の固定構造を示す要部説明図である。
【図５】本発明の第四実施形態によるセグメント型枠へのボルトボックス抜き型の固定構造を示す要部説明図である。
【図６】（ａ）は図５に示すボルトボックス抜き型の底面図、（ｂ）はボルトボックス抜き型の底部に設けたシール部材の拡大図である。
【図７】本発明の第五実施形態によるセグメント型枠へのボルトボックス抜き型の固定構造を示す要部説明図である。
【図８】（ａ）は本発明の第六実施形態によるセグメント型枠へのボルトボックス抜き型の固定構造を示す要部説明図、（ｂ）はボルトボックス抜き型の雌ねじ部側から見た図である。
【図９】図８に示すボルトボックス抜き型の固定構造に用いる継手ボルトの断面図である。
【図１０】本発明の第七実施形態によるセグメント型枠へのボルトボックス抜き型の固定構造を示す要部説明図である。
【図１１】本発明の第八実施形態によるセグメント型枠へのボルトボックス抜き型の固定構造を示す要部説明図である。
【図１２】従来技術におけるセグメントの継手面の継手を内周面側から見た要部斜視図である。
【図１３】従来のセグメント型枠へのボルトボックス抜き型の固定構造を示す要部説明図である。
【図１４】図１３における継手金物とボルトボックス抜き型と継手ボルトとを示す斜視図である。
【図１５】図１３におけるセグメント型枠へのボルトボックス抜き型の固定構造で継手ボルトを螺合した状態を示す要部説明図である。
【符号の説明】
【００３３】
１  コンクリートセグメント
２  ボルトボックス
３  継手金物
７  セグメント型枠
８  側板
９  底板
１０  ボルトボックス抜き型
１０ａ  側面
１２  雌ねじ部
１３  継手ボルト（締結ボルト）
１４  挿通部
１６  リーマボルト（締結ボルト）
２０、２５  台座
２１  ゴム材
２６  テーパ座金
３０  第一半部
３１  第二半部
３３  段差部
３５  磁性体（第一磁性体）
３６  電磁石（第二磁性体）
３７  係合部材
３９  係止部材
【図１】
0005103235.tif 000002
【図２】
0005103235.tif 000003
【図３】
0005103235.tif 000004
【図４】
0005103235.tif 000005
【図５】
0005103235.tif 000006
【図６】
0005103235.tif 000007
【図７】
0005103235.tif 000008
【図８】
0005103235.tif 000009
【図９】
0005103235.tif 000010
【図１０】
0005103235.tif 000011
【図１１】
0005103235.tif 000012
【図１２】
0005103235.tif 000013
【図１３】
0005103235.tif 000014
【図１４】
0005103235.tif 000015
【図１５】
0005103235.tif 000016